(57)【要約】【課題】本発明の目的は、ダクトカバーに付着した結露水が滞留することを防止できる流体搬送装置を提供することである。【解決手段】流体搬送装置は、水から蒸気を生成する蒸気生成部と、蒸気生成部から通じる蒸気ダクト１２と、蒸気ダクト１２に設けられ、蒸気生成部により生成された蒸気を絞って放出することでスチームを生成するノズル１３と、ノズル１３を覆うように形成され、外部と通じるスチーム吹出口を有しているスチームダクト１４と、スチームダクト１４の内部からスチーム吹出口を介して外部に通じる経路上に設けられ、ノズル１３から放出されたスチームが通過可能であり、付着した結露水を下方に誘導するように形成されたダクトカバー１５と、を備えたものである。【選択図】図２
2015139577.tif 000002
【特許請求の範囲】
【請求項１】
水から蒸気を生成する蒸気生成部と、
前記蒸気生成部から通じる蒸気ダクトと、
前記蒸気ダクトに設けられ、前記蒸気生成部により生成された蒸気を絞って放出することでスチームを生成するスチーム生成部と、
前記スチーム生成部を覆うように形成され、外部と通じるスチーム吹出口を有しているスチームダクトと、
前記スチームダクトの内部から前記スチーム吹出口を介して外部に通じる経路上に設けられ、前記スチーム生成部から放出されたスチームが通過可能であり、付着した結露水を下方に誘導するように形成されたダクトカバーと、
を備えた流体搬送装置。
【請求項２】
前記ダクトカバーは、付着した結露水をスチーム進行方向における上流側に誘導するように形成された請求項１に記載の流体搬送装置。
【請求項３】
前記ダクトカバーは、スチーム進行方向から見た中央に形成された開口部を有している請求項１又は２に記載の流体搬送装置。
【請求項４】
前記ダクトカバーは、開口部を形成する枠体を備え、前記枠体が水平にならないように設けられた請求項１から３のいずれか１項に記載の流体搬送装置。
【請求項５】
前記枠体は、前記ダクトカバーの最下端と前記ダクトカバーの中央とを鉛直に繋ぐ中心枠体を備えた請求項４に記載の流体搬送装置。
【請求項６】
前記スチームダクトの下部に設けられた結露水回収部を備え、
前記中心枠体は、前記結露水回収部の上方に位置している請求項５に記載の流体搬送装置。
【請求項７】
前記中心枠体の幅は、前記結露水回収部の幅よりも小さい請求項６に記載の流体搬送装置。
【請求項８】
前記中心枠体は、スチーム進行方向における上流側の面が他の前記枠体の上流側の面よりも下流側に位置するように形成された請求項５から７のいずれか１項に記載の流体搬送装置。
【請求項９】
前記枠体は、上面の長手方向に沿って形成された誘導溝を有している請求項５から８のいずれか１項に記載の流体搬送装置。
【請求項１０】
前記枠体の上面に設けられ、スチーム進行方向において前記誘導溝よりも下流側に位置する落下防止リブを備えた請求項９に記載の流体搬送装置。
【請求項１１】
前記ダクトカバーは、開口部を形成する枠体を備え、
前記枠体の上面は、スチーム進行方向における上流側が低くなるように傾斜して形成された請求項１から３のいずれか１項に記載の流体搬送装置。
【請求項１２】
前記スチームダクトは、スチーム放出方向を水平よりも下向きに傾斜可能に設けられ、
前記枠体は、スチーム放出方向に対する傾斜角が前記スチームダクトの最大傾斜角よりも大きくなるように設けられた請求項１１に記載の流体搬送装置。
【請求項１３】
前記ダクトカバーは、スチーム進行方向における下流側の面が前記スチーム吹出口の開口面よりも上流側に位置している請求項１から１２のいずれか１項に記載の流体搬送装置。
【発明の詳細な説明】
【技術分野】
【０００１】
本発明は、流体搬送装置に関するものである。
【背景技術】
【０００２】
下記特許文献１には、スチーム式美容器が記載されている。このスチーム式美容器は、蒸気生成部及びダクトを備えている。ダクトの内部には、ノズルが設けられている。蒸気生成部により生成された蒸気は、ノズルからスチームとして噴出される。スチームは、ダクトの吹出口から外部へ放出される。
【先行技術文献】
【特許文献】
【０００３】
【特許文献１】特開２００２−２５３３４０号公報
【発明の概要】
【発明が解決しようとする課題】
【０００４】
特許文献１に記載のスチーム式美容器では、使用者がノズルに触れることを防止するためには、例えば、スチームが通過可能なダクトカバーを設ける必要がある。この場合、スチーム式美容器の運転中には、ダクトカバーに結露水が付着する。ダクトカバーに付着した結露水が滞留した場合、スチームの放出が阻害される。また、滞留した結露水がスチームとともに外部へ噴出される可能性がある。
【０００５】
本発明は、上記のような課題を解決するためになされた。その目的は、ダクトカバーに付着した結露水が滞留することを防止できる流体搬送装置を提供することである。
【課題を解決するための手段】
【０００６】
本発明に係る流体搬送装置は、水から蒸気を生成する蒸気生成部と、蒸気生成部から通じる蒸気ダクトと、蒸気ダクトに設けられ、蒸気生成部により生成された蒸気を絞って放出することでスチームを生成するスチーム生成部と、スチーム生成部を覆うように形成され、外部と通じるスチーム吹出口を有しているスチームダクトと、スチームダクトの内部からスチーム吹出口を介して外部に通じる経路上に設けられ、スチーム生成部から放出されたスチームが通過可能であり、付着した結露水を下方に誘導するように形成されたダクトカバーと、を備えたものである。
【発明の効果】
【０００７】
本発明に係る流体搬送装置において、ダクトカバーは、付着した結露水を下方に誘導するように形成されている。このため、ダクトカバーに付着した結露水が滞留することを防止することができる。
【図面の簡単な説明】
【０００８】
【図１】本発明の実施の形態１における流体搬送装置の縦断面図である。
【図２】本発明の実施の形態１におけるスチームダクト及びダクトカバーの縦断面図である。
【図３】本発明の実施の形態１における流体搬送装置の本体斜視図である。
【図４】本発明の実施の形態１におけるスチームダクト内から見たダクトカバーの詳細拡大図である。
【図５】本発明の実施の形態１における流体搬送装置の動作を示すフローチャートである。
【図６】本発明の実施の形態１における流体搬送装置の他の例を示す本体斜視図である。
【図７】本発明の実施の形態２におけるダクトカバーの斜視図である。
【図８】本発明の実施の形態２におけるスチームダクト及びダクトカバーの縦断面図である。
【図９】本発明の実施の形態２における傾斜時のスチームダクト及びダクトカバーの拡大縦断面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本実施の形態における流体搬送装置の縦断面図である。以下、図１を参照して、流体搬送装置の構成を説明する。なお、本明細書では、特に断りがない限り、図１における前、後、上、下を示す矢印の向きに基づいて、前後方向及び上下方向を指定する。
【００１１】
流体搬送装置は、本体の外郭をなす本体ケース１を備えている。本体ケース１の上面の前側は、水平に形成されている。本体ケース１の上面の後側は、後方に向かうにつれて低くなるように傾斜して形成されている。本体ケース１の上面には、ふた２が着脱自在に取り付けられている。ふた２は、本体ケース１の上面に沿うように屈曲して形成されている。本体ケース１の後面の下部には、開口部１ａが形成されている。流体搬送装置の本体の内部は、開口部１ａを介して外部と通じている。本体ケース１の前面の下部には、操作部３が設けられている。操作部３は、流体搬送装置の図示しない電源ＳＷ及び人体検出部４等を備えている。
【００１２】
流体搬送装置は、本体ケース１の内部の後側に、給水部５を備えている。給水部５は、下向きに凹んだように形成されている。給水部５は、図示しない水位検知部を備えている。給水部５には、上方から給水タンク６が着脱自在に取り付けられている。給水タンク６の下部には、給水弁６ａが設けられている。給水弁６ａは、給水タンク６が取り付けられる際に給水部５の凹みに嵌るように形成されている。
【００１３】
流体搬送装置は、本体ケース１の内部の前側に、蒸気生成部を備えている。蒸気生成部は、貯水部７及びヒータ８を備えている。貯水部７は、流体貯蔵部として設けられている。ヒータ８は、貯水部７の外周面の下部に取り付けられている。また、貯水部７の外周面の下部には、サーミスタ９が取り付けられている。サーミスタ９は、温度検出部として設けられている。
【００１４】
本体ケース１の内部には、給水部５と蒸気生成部とを繋ぐ給水路１０が設けられている。給水路１０の一端は、給水部５の底部に接続されている。給水路１０の他端は、貯水部７の底部に接続されている。このため、給水タンク６は、給水弁６ａ及び給水路１０を介して貯水部７と通じている。給水路１０の内部には、逆止弁１１が設けられている。
【００１５】
蒸気生成部の上方には、蒸気ダクト１２が着脱可能に設けられている。蒸気ダクト１２は、貯水部７から通じている。蒸気ダクト１２は、貯水部７の上面から上方へ延びるように形成されている。蒸気ダクト１２の上端付近は、前方へ湾曲している。蒸気ダクト１２の上端には、ノズル１３が設けられている。ノズル１３は、蒸気を絞って圧縮放出することでスチーム化するように形成されている。つまり、ノズル１３は、スチーム生成部として働く。ノズル１３は、水平方向にスチームを噴射するように設けられている。
【００１６】
蒸気生成部の上方には、スチームダクト１４が着脱可能に設けられている。スチームダクト１４は、その内部にノズル１３が位置するように設けられている。つまり、蒸気ダクト１２は、スチームダクト１４の下部を貫通し、上端付近がスチームダクト１４の内部に位置するように設けられている。
【００１７】
スチームダクト１４の後端には、開口部１４ａが形成されている。開口部１４ａは、ノズル１３と同程度の高さに位置している。スチームダクト１４の前端には、スチーム吹出口が形成されている。スチーム吹出口の開口面は、開口部１４ａよりも大きく形成されている。スチーム吹出口の付近には、ダクトカバー１５が設けられている。ダクトカバー１５は、例えば、メッシュ又はスリット等の目の細かい形状に形成されている。スチームダクト１４は、スチーム吹出口を介して本体の外部と通じている。このため、貯水部７は、蒸気ダクト１２、ノズル１３、スチームダクト１４、ダクトカバー１５及びスチーム吹出口を介して本体の外部と通じている。
【００１８】
本体ケース１の内部の後側には、送風ファン１６が設けられている。送風ファン１６の上方には、送風ダクト１７が設けられている。送風ダクト１７は、本体ケース１の後面から上面に沿って配置されている。つまり、送風ダクト１７は、本体ケース１の後面及び上面に沿うように屈曲して形成されている。送風ダクト１７の端部には、前方を向いて開放されたアシスト風吹出口１８が形成されている。送風ダクト１７は、アシスト風吹出口１８を介して本体の外部と通じている。このため、送風ファン１６が設置された空間は、送風ダクト１７及びアシスト風吹出口１８を介して本体の外部と通じている。アシスト風吹出口１８は、スチーム吹出口の上方に位置している。アシスト風吹出口１８の周縁の上部には、ルーバー１９が設けられている。このように形成された送風ダクト１７は、主に本体ケース１の上面に沿う部分で、スチームダクト１４を外側から覆うように配置されている。
【００１９】
また、送風ダクト１７は、本体ケース１の後面と上面との境界付近の位置で分岐して開口部１４ａに接続されている。このため、送風ファン１６が設置された空間は、送風ダクト１７及び開口部１４ａを介してスチームダクト１４と通じている。送風ダクト１７の分岐点から開口部１４ａに至る部分は、分岐点からアシスト風吹出口１８に至る部分よりも細く形成されている。
【００２０】
スチームダクト１４において、ノズル１３の下方には、結露水回収部２０及び結露水回収路２１が設けられている。結露水回収部２０は、スチームダクト１４の内側の下部に設けられている。結露水回収部２０の前端は、ダクトカバー１５に接している。結露水回収部２０の後端は、ノズル１３の直下付近に位置している。結露水回収部２０は、後方に向かうにつれて低くなるように傾斜している。結露水回収部２０の後端側には、結露水回収路２１の一端が接続されている。結露水回収路２１の一端は、結露水回収部２０の傾斜面の最下部に接続されている。結露水回収路２１の一端は、ノズル１３の直下付近に位置している。結露水回収路２１の他端は、給水部５に接続されている。結露水回収路２１は、結露水回収部２０及び給水部５に対して着脱可能に設けられている。結露水回収路２１は、結露水回収部２０に接続された一端から給水部５に接続された他端に向かうにつれて低くなるように形成されている。このため、結露水回収部２０は、結露水回収路２１を介して給水部５に通じている。
【００２１】
本体ケース１の内部には、制御部２２が設けられている。制御部２２は、タイマー機能を備えている。制御部２２には、操作部３の出力端、人体検出部４の出力端、給水部５の水位検知部の出力端、サーミスタ９の出力端が接続されている。また、制御部２２には、ヒータ８の入力端及び送風ファン１６の入力端が接続されている。
【００２２】
流体搬送装置の運転開始前に、給水タンク６には、外部から水が供給される。給水タンク６内の水は、給水弁６ａ、給水部５及び給水路１０を経て貯水部７に流れ込む。この際に流れ込む水量は、給水弁６ａによって調節される。
【００２３】
流体搬送装置の運転中に、人体検出部４は、流体搬送装置の本体と周囲に居る人との距離を検出する。給水部５の水位検知部は、給水タンク６の内部の水位を検知する。サーミスタ９は、蒸気生成部の温度を検出する。制御部２２は、接続されている各部の出力端から信号を受信する。制御部２２は、ヒータ制御信号をヒータ８の入力端に送信する。制御部２２は、ファン制御信号を送風ファン１６の入力端に送信する。
【００２４】
ヒータ８は、貯水部７の内部の水を加熱する。貯水部７の内部の水は、加熱による水温の上昇に伴って殺菌される。その後、貯水部７の内部の水は蒸気となり、蒸気ダクト１２の内部に進入する。蒸気は、蒸気ダクト１２の内部に充満した後、ノズル１３に絞られ、スチーム２３としてスチームダクト１４の内部に噴射される。この際、蒸気ダクト１２の内部の圧力が上昇するため、給水路１０で貯水部７への流れとは逆方向の力が働く。しかし、逆止弁１１により、給水路１０から給水部５への水の逆流は防止される。
【００２５】
送風ファン１６は、本体ケース１の後面の開口部１ａから外部の空気を取り入れ、送風ダクト１７の内部に送る。分岐点から開口部１４ａ側に進まずに送風ダクト１７を通過した空気は、アシスト風吹出口１８から外部へ放出される。以下、アシスト風吹出口１８から放出された空気をアシスト風２４という。アシスト風２４の風向は、ルーバー１９により調節される。アシスト風２４は、ルーバー１９により水平方向よりやや下方へ向かって送風される。
【００２６】
一方、分岐点から開口部１４ａ側に進んだ空気は、スチームダクト１４に流入する。開口部１４ａからスチームダクト１４に流入した空気は、スチーム２３と混合される。開口部１４ａからスチームダクト１４に流入した空気は常温であるため、スチーム２３の温度は低下する。空気と混合されたスチーム２３は、ダクトカバー１５の開口部２６を通過する。この際、スチーム２３は、主に中央開口部２６ａを通過するため、スチーム２３の推力の低下が抑制される。開口部２６を通過したスチーム２３は、スチーム吹出口から外部へ放出される。スチーム吹出口から外部へ放出されたスチーム２３は、推力を失うと温度により上昇を始める。スチーム２３は、アシスト風吹出口１８から放出されたアシスト風２４により、上昇を抑制されつつ前方に搬送される。
【００２７】
流体搬送装置の運転がしばらく続くと、蒸気ダクト１２の内壁、スチームダクト１４の内壁、ノズル１３及びダクトカバー１５に結露水が発生する。蒸気ダクト１２の内壁に付着した結露水は、貯水部７へ流れていく。スチームダクト１４の内壁に付着した結露水は、壁面を伝って結露水回収部２０に回収される。ノズル１３に付着した結露水は、結露水回収部２０に落下し回収される。ダクトカバー１５に付着した結露水は、重力に従い下方へ流れ、結露水回収部２０に回収される。結露水回収部２０に回収された結露水は、結露水回収路２１を通って給水部５に戻る。
【００２８】
図２は、本実施の形態におけるスチームダクト１４及びダクトカバー１５の縦断面図である。ダクトカバー１５は、スチームダクト１４の前端よりも後方に設置されている。つまり、ダクトカバー１５は、スチーム吹出口の開口面よりも内側に設置されている。ダクトカバー１５の中央は、スチームダクト１４の中心軸上に位置している。スチームダクト１４の中心軸は、水平である。スチームダクト１４の中心軸上には、ノズル１３が位置している。つまり、ノズル１３及びダクトカバー１５の中央は、水平な同一直線上に位置している。スチーム２３は、スチームダクト１４の中心軸に沿って進む。
【００２９】
図３は、本実施の形態における流体搬送装置の本体斜視図である。以下、図３を参照して、ダクトカバー１５の形状及び構造を説明する。
【００３０】
ダクトカバー１５は、枠体２５を備えている。枠体２５は、複数の環状枠体２５ａ及び複数の直線状枠体２５ｂを備えている。複数の環状枠体２５ａは、それぞれ径が異なっている。最小の環状枠体２５ａは、ダクトカバー１５の中央に配置されている。複数の環状枠体２５ａは、同心円状に配置されている。最小の環状枠体２５ａは、最も内側に配置されている。最大の環状枠体２５ａは、最も外側に配置されている。直線状枠体２５ｂは、環状枠体２５ａと交差するように配置されている。但し、直線状枠体２５ｂは、最小の環状枠体２５ａの内側には配置されていない。直線状枠体２５ｂは、最小の環状枠体２５ａから最大の環状枠体２５ａまでの最短距離を通るように配置されている。つまり、複数の直線状枠体２５ｂは、最も内側の環状枠体２５ａから放射状に延びるように配置されている。枠体２５は、水平にならないように設けられている。
【００３１】
枠体２５は、中心枠体２５ｃを備えている。中心枠体２５ｃは、直線状に形成されている。中心枠体２５ｃは、環状枠体２５ａと交差するように配置されている。但し、中心枠体２５ｃは、最小の環状枠体２５ａの内側には配置されていない。中心枠体２５ｃは、最小の環状枠体２５ａの最下端から最大の環状枠体２５ａの最下端までの最短距離を通るように配置されている。つまり、中心枠体２５ｃは、最も外側の環状枠体２５ａの最下端から鉛直上方に延びるように配置されている。
【００３２】
ダクトカバー１５は、複数の開口部２６を有している。開口部２６は、例えば、貫通した穴又は格子等である。ダクトカバー１５は、開口部２６として中央開口部２６ａ及び周辺開口部２６ｂを有している。開口部２６は、枠体２５により形成されている。中央開口部２６ａは、最小の環状枠体２５ａにより形成されている。中央開口部２６ａの中心は、スチームダクト１４の中心軸上に位置している。周辺開口部２６ｂは、環状枠体２５ａ、直線状枠体２５ｂ及び中心枠体２５ｃにより形成されている。開口部２６は、指が入らない大きさに形成されている。
【００３３】
図４は、本実施の形態におけるスチームダクト１４内から見たダクトカバー１５の詳細拡大図である。図４は、後方から見たダクトカバー１５を示している。以下、図４を参照して、ダクトカバー１５の形状、ダクトカバー１５の構造及びダクトカバー１５に付着した結露水の回収方法について説明する。
【００３４】
中心枠体２５ｃは、結露水回収部２０の上方に配置されている。中心枠体２５ｃの幅は、結露水回収部２０の幅よりも小さい。直線状枠体２５ｂの後面は、環状枠体２５ａの後面と面一である。一方、中心枠体２５ｃの後面は、環状枠体２５ａの後面と面一でない。中心枠体２５ｃは、後面が環状枠体２５ａの後面よりも前方に位置するように形成されている。つまり、環状枠体２５ａの後面は、中心枠体２５ｃと交差する部分が前方に凹んだように形成されている。
【００３５】
環状枠体２５ａの上面には、長手方向に沿って誘導溝２７が形成されている。誘導溝２７は、環状枠体２５ａの上面のうち、中央開口部２６ａの中心よりも低い部分に形成されている。誘導溝２７は、環状枠体２５ａの上面のうち、中心枠体２５ｃに隣接する部分に形成されている。つまり、誘導溝２７は、一辺が中心枠体２５ｃにより形成される周辺開口部２６ｂの下辺となる部分の上面に形成されている。
【００３６】
環状枠体２５ａの上面には、落下防止リブ２８が設けられている。落下防止リブ２８は、環状枠体２５ａの最下端付近に設けられている。落下防止リブ２８は、誘導溝２７に沿って設けられている。落下防止リブ２８は、誘導溝２７よりも前方に配置されている。つまり、落下防止リブ２８は、環状枠体２５ａの上面において前方寄りに位置する。落下防止リブ２８は、中心枠体２５ｃの左右に配置されている。落下防止リブ２８の一端は、中心枠体２５ｃに隣接している。落下防止リブ２８は、上端が水平に形成されている。
【００３７】
ダクトカバー１５に付着した結露水は、重力に従い枠体２５を伝って下方へ流れる。この際、結露水は、誘導溝２７に沿って環状枠体２５ａの上面を移動する。結露水は、環状枠体２５ａの最下端付近では、落下防止リブ２８の後方を移動する。環状枠体２５ａの最下端付近に集まった結露水は、中心枠体２５ｃの後面を伝って下方へ流れる。当該結露水は、ダクトカバー１５の最下部から結露水回収部２０に回収される。
【００３８】
図５は、本実施の形態における流体搬送装置の動作を示すフローチャートである。以下、図５を参照して、流体搬送装置の動作を説明する。
【００３９】
流体搬送装置の運転開始前に、使用者は、適切な位置に流体搬送装置本体を設置する。例えば、睡眠時に顔等を保湿するために使用する場合には、ベッドサイド、布団の横又は使用者から見て頭側の位置等に流体搬送装置本体が設置される。
【００４０】
操作部３の電源ＳＷが押されると、流体搬送装置の電源がＯＮ状態となる（ステップＳ１０１）。これにより、流体搬送装置の運転が開始する。
【００４１】
ステップＳ１０１に続いて、制御部２２は、ヒータ８をＯＮ状態にする（ステップＳ１０２）。これにより、スチームの生成が開始される。
【００４２】
ステップＳ１０２に続いて、制御部２２は、送風ファン１６をＯＮ状態にする（ステップＳ１０３）。これにより、送風が開始される。
【００４３】
ステップＳ１０３に続いて、ステップＳ１０４に進む。ステップＳ１０４において、人体検出部４は、流体搬送装置本体と使用者との距離を検出する。制御部２２は、人体検出部４によって検出された距離に基づいてヒータ８の運転レベルを調整する。例えば、距離が５０ｃｍであると判定された場合には、制御部２２は、ヒータ８の運転レベルを弱運転とすることで、蒸気の生成量を減少させる。また、距離が１００ｃｍであると判定された場合には、制御部２２は、ヒータ８の運転レベルを強運転とすることで、蒸気の生成量を増大させる。このようにして、制御部２２は、使用者の顔周りの湿度を睡眠時に適した５０〜６０％程度に維持する。
【００４４】
ステップＳ１０４に続いて、ステップＳ１０５に進む。ステップＳ１０５において、制御部２２は、以下の判定を行う。第１に、制御部２２は、電源ＳＷがＯＦＦ状態であるか否かの判定を行う。第２に、制御部２２は、タイマー機能を用いて、流体搬送装置の運転開始から予め設定された時間が経過したか否かの判定を行う。第３に、制御部２２は、水位検知部の検知結果に基づいて、給水タンク６の内部の水量が０であるか否かの判定を行う。これらの判定において、いずれの条件も成立しない場合は、ステップＳ１０４に戻る。なお、必ずしもこれらの判定の全てを行う必要はなく、少なくとも１つの判定を行うこととしてもよい。
【００４５】
ステップＳ１０５の判定において、いずれかの条件が成立した場合、制御部２２は、流体搬送装置の電源をＯＦＦ状態にする（ステップＳ１０６）。
【００４６】
使用者は、流体搬送装置の使用後に、蒸気ダクト１２、スチームダクト１４、結露水回収路２１及び給水タンク６等を本体ケース１から取り外して洗浄する。また、使用者は、本体ケース１の内部の給水部５及び貯水部７等を洗浄する。
【００４７】
本実施の形態では、スチームダクト１４は、ノズル１３を覆うように形成されている。スチームダクト１４は、外部と通じるスチーム吹出口を有している。ダクトカバー１５は、スチームダクト１４の内部からスチーム吹出口を介して外部に通じる経路上に設けられている。ダクトカバー１５は、ノズル１３から放出されたスチームが通過可能に形成されている。ダクトカバー１５は、付着した結露水を下方に誘導するように形成されている。これにより、ダクトカバー１５に付着した結露水が滞留することを防止することができる。つまり、ダクトカバー１５の形状により、結露水を効率良く結露水回収部２０に回収できる。その結果、本実施の形態によれば、ダクトカバー１５に付着した高温の結露水がスチーム吹出口から放出されることを防止し、安全性を向上することができる。
【００４８】
本実施の形態では、ダクトカバー１５は、付着した結露水をスチーム進行方向における上流側に誘導するように形成されている。このため、本実施の形態によれば、結露水を本体の外部に流出させることなく、本体の内部に回収することができる。
【００４９】
本実施の形態では、ダクトカバー１５は、スチーム進行方向から見た中央に形成された中央開口部２６ａを有している。つまり、ダクトカバー１５は、最もスチームが集中する範囲でスチームの進行を妨害しない。このため、本実施の形態によれば、スチームの推力の低下を抑制し、ダクトカバー１５に付着する結露水の量を低減することができる。
【００５０】
本実施の形態では、ダクトカバー１５は、開口部を形成する枠体２５を備えている。ダクトカバー１５は、枠体２５が水平にならないように設けられている。このため、結露水は枠体２５の上面に滞留しにくい。その結果、本実施の形態によれば、ダクトカバー１５に付着した結露水を下方に誘導することができる。
【００５１】
本実施の形態では、枠体２５は、複数の環状枠体２５ａ及び中心枠体２５ｃを備えている。最小の環状枠体２５ａは、ダクトカバー１５の中央に配置されている。最大の環状枠体２５ａは、ダクトカバー１５の中央から最も遠くに配置されている。中心枠体２５ｃは、最大の環状枠体２５ａの最下端と最小の環状枠体２５ａとを鉛直に繋いでいる。つまり、中心枠体２５ｃは、ダクトカバー１５の最下端と中央とを鉛直に繋いでいる。このため、本実施の形態によれば、結露水を中心枠体２５ｃに伝わせて下方に誘導することができる。
【００５２】
本実施の形態では、流体搬送装置は、スチームダクト１４の下部に設けられた結露水回収部２０を備えている。中心枠体２５ｃは、結露水回収部２０の上方に位置している。また、スチーム進行方向から見て、中心枠体２５ｃの幅は、結露水回収部２０の幅よりも小さい。このため、中心枠体２５ｃにより下方に誘導された結露水は、結露水回収部２０に回収される。その結果、本実施の形態によれば、ダクトカバー１５に付着した結露水を本体の外部に流出させることなく、本体の内部に回収することができる。
【００５３】
本実施の形態では、中心枠体２５ｃは、スチーム進行方向における上流側の面が他の枠体２５の上流側の面よりも下流側に位置するように形成されている。つまり、環状枠体２５ａの後面は、中心枠体２５ｃと交差する部分が前方に凹んだように形成されている。このため、環状枠体２５ａを伝って流れてきた結露水は、中心枠体２５ｃの後面を伝って下方へ流れる。その結果、本実施の形態によれば、結露水を本体の外部に流出させることなく、本体の内部に回収することができる。
【００５４】
本実施の形態では、環状枠体２５ａは、上面の長手方向に沿って形成された誘導溝２７を有している。このため、結露水は環状枠体２５ａを伝って流れ易い。その結果、ダクトカバー１５に付着した結露水を下方に誘導することができる。
【００５５】
本実施の形態では、流体搬送装置は、環状枠体２５ａの上面に設けられた落下防止リブ２８を備えている。落下防止リブ２８は、環状枠体２５ａの最下端付近に設けられている。落下防止リブ２８は、スチーム進行方向において誘導溝２７よりも下流側に位置している。このため、環状枠体２５ａの最下端に集まった結露水は、ダクトカバー１５の前方に流出しない。その結果、本実施の形態によれば、結露水を本体の外部に流出させることなく、本体の内部に回収することができる。
【００５６】
スチームダクト１４は、スチーム吹出口から外部へのスチーム放出方向を上下に調整可能に設けられてもよい。これにより、例えば、スチーム放出方向を水平よりも下向きに傾斜させることができる。この場合であっても、落下防止リブ２８により、結露水が本体の外部に流出することを防止できる。
【００５７】
図６は、本実施形態における流体搬送装置の他の例を示す本体斜視図である。図６は、ダクトカバー１５が格子状に形成された場合を示している。枠体２５は、直線状枠体２５ｂ及び中心枠体２５ｃを備えている。中心枠体２５ｃは、直線状枠体２５ｂのうち、ダクトカバー１５の中央から最も遠い部分の最下端と中央に最も近い部分とを鉛直に繋いでいる。この場合も、枠体２５が水平にならないように設けられているため、結露水は枠体２５の上面に滞留しにくい。その結果、ダクトカバー１５に付着した結露水を下方に誘導することができる。
【００５８】
実施の形態２．
本実施の形態において、ダクトカバー１５は、格子状に形成されている。また、スチームダクト１４は、スチーム吹出口から外部へのスチーム放出方向を上下に調整可能に設けられている。以下、実施の形態１と同一又は相当する部分には同一の符号を付して説明を省略する。
【００５９】
図７は、本実施の形態におけるダクトカバー１５の斜視図である。ダクトカバー１５の枠体２５は、直線状に形成されている。枠体２５は、前後方向から見て水平又は鉛直に設けられている。開口部２６は、枠体２５により四角形状に形成されている。ダクトカバー１５の下部には、開口部２６が形成されていない。
【００６０】
図８は、本実施の形態におけるスチームダクト１４及びダクトカバー１５の縦断面図である。枠体２５は、後方が低くなるように傾斜して形成されている。つまり、枠体２５の上面は、スチーム進行方向における上流側が低くなるように傾斜している。ダクトカバー１５は、スチームダクト１４の前端よりも後方に設置されている。つまり、ダクトカバー１５は、スチーム吹出口の開口面よりも内側に設置されている。
【００６１】
図９は、本実施の形態における傾斜時のスチームダクト１４及びダクトカバー１５の拡大縦断面図である。図９は、スチーム吹出口からのスチーム放出方向を水平よりも下向きに最大限傾斜させた状態を示している。スチーム放出方向は、スチームダクト１４の中心軸方向である。図９では、スチームダクト１４の最大傾斜角Ａ及び枠体２５の設置角Ｂが示されている。最大傾斜角Ａは、最大限傾斜させた状態におけるスチームダクト１４の中心軸が水平方向となす角である。つまり、最大傾斜角Ａは、水平方向に対するスチーム放出方向の傾斜角である。設置角Ｂは、枠体２５の上面がスチームダクト１４の中心軸となす角である。つまり、設置角Ｂは、スチーム放出方向に対する枠体２５の上面の傾斜角である。スチームダクト１４及びダクトカバー１５は、設置角Ｂが最大傾斜角Ａよりも大きくなるように形成されている。
【００６２】
本実施の形態では、ダクトカバー１５は、開口部２６を形成する枠体２５を備えている。枠体２５の上面は、スチーム進行方向における上流側が低くなるように傾斜して形成されている。このため、ダクトカバー１５に付着した結露水をスチーム進行方向における上流側の下方に誘導することができる。その結果、結露水を本体の外部に流出させることなく、本体の内部に回収することができる。
【００６３】
本実施の形態では、スチームダクト１４は、スチーム放出方向を水平よりも下向きに傾斜可能に設けられている。枠体２５は、設置角Ｂがスチームダクト１４の最大傾斜角Ａよりも大きくなるように設けられている。このため、スチームダクト１４が最大限傾斜した場合であっても、枠体２５のスチーム進行方向における上流側が低くなる傾斜が維持される。その結果、結露水を本体の外部に流出させることなく、本体の内部に回収することができる。
【００６４】
実施の形態１及び２では、ダクトカバー１５は、スチーム進行方向における下流側の面がスチーム吹出口の開口面よりも上流側に位置している。つまり、ダクトカバー１５は、スチーム吹出口の開口面よりも後方に設置されている。このため、結露水は、ダクトカバー１５の前方にあふれ出たとしても、本体が設置された床等にこぼれ落ちることがない。その結果、結露水を本体の外部に流出させることなく、本体の内部に回収することができる。
【００６５】
結露水回収部２０の傾斜面は、結露水が確実に流れるように、水平面に対して７°以上の勾配で形成されるのが望ましい。結露水回収部２０は、撥水コーティングされるか、撥水樹脂で形成されるのが望ましい。結露水回収部２０は、回収される結露水が高温であるため、耐熱樹脂又は金属部材で形成されてもよい。結露水回収部２０は、スチームダクト１４と一体の部品として形成されてもよい。この場合、メンテナンス時に分解するパーツが少なくて済む。
【符号の説明】
【００６６】
１  本体ケース、１ａ  開口部、２  ふた、３  操作部、４  人体検出部、５  給水部、６  給水タンク、６ａ  給水弁、７  貯水部、８  ヒータ、９  サーミスタ、１０  給水路、１１  逆止弁、１２  蒸気ダクト、１３  ノズル、１４  スチームダクト、１４ａ  開口部、１５  ダクトカバー、１６  送風ファン、１７  送風ダクト、１８  アシスト風吹出口、１９  ルーバー、２０  結露水回収部、２１  結露水回収路、２２  制御部、２３  スチーム、２４  アシスト風、２５  枠体、２５ａ  環状枠体、２５ｂ  直線状枠体、２５ｃ  中心枠体、２６  開口部、２６ａ  中央開口部、２６ｂ  周辺開口部、２７  誘導溝、２８  落下防止リブ
【図１】
2015139577.tif 000003
【図２】
2015139577.tif 000004
【図３】
2015139577.tif 000005
【図４】
2015139577.tif 000006
【図５】
2015139577.tif 000007
【図６】
2015139577.tif 000008
【図７】
2015139577.tif 000009
【図８】
2015139577.tif 000010
【図９】
2015139577.tif 000011